(57)【要約】      （修正有）【課題】ネットワーク事業者を選択するための改善された方法を提供する。【解決手段】１つ又は複数のネットワーク識別子を含むネットワーク識別子リストであって、各識別子が、サービスのうちの１つ又は複数を移動デバイスに提供するネットワークを一意に識別する、ネットワーク識別子リストと、複数のサービス識別子を収容するサービス識別子リストであって、各サービス識別子が、１つ又は複数のネットワーク事業者識別子、及び任意で、１つ又は複数のネットワーク識別子に関連付けられる複数のサービスのうちの１つのサービスを一意に識別する、サービス識別子リストと、を有する電子データ構造を収容し、電子データ構造のサービス識別子リストからサービス識別子を選択することによって、第１のネットワーク事業者識別子又は第２のネットワーク事業者識別子のいずれかを選択する。【選択図】図３Ｂ
2009165111.tif 000002
【特許請求の範囲】
【請求項１】
複数のサービスを消費するように構成される移動デバイスにおいて、ネットワーク事業者を選択する、コンピュータによって実施される方法であって、前記移動デバイスは、
−前記サービスのうちの１つ又は複数をサポートするネットワークにおける、第１のネットワーク事業者についての第１のネットワーク事業者識別子、及び第２のネットワーク事業者についての第２のネットワーク事業者識別子を少なくとも収容する、ネットワーク事業者識別子リストと、
−１つ又は複数のネットワーク識別子を含むネットワーク識別子リストであって、各識別子が、前記サービスのうちの１つ又は複数を前記移動デバイスに提供するネットワークを一意に識別する、ネットワーク識別子リストと、
−複数のサービス識別子を収容するサービス識別子リストであって、各サービス識別子が、前記１つ又は複数のネットワーク事業者識別子、及び任意で、前記１つ又は複数のネットワーク識別子に関連付けられる前記複数のサービスのうちの１つのサービスを一意に識別する、サービス識別子リストと、
を有する電子データ構造を収容し、
該方法は、前記電子データ構造の前記サービス識別子リストからサービス識別子を選択することによって、前記第１のネットワーク事業者識別子又は前記第２のネットワーク事業者識別子のいずれかを選択するステップを含む、方法。
【請求項２】
請求項１に記載の方法であって、前記第１のネットワーク事業者識別子及び前記第２のネットワーク事業者識別子はローミング・ネットワーク事業者識別子である、方法。
【請求項３】
請求項１又は２に記載の方法であって、
−前記移動デバイス上で前記複数のサービスのうちの１つ又は複数を利用するためのアプリケーション・プログラムを開始するステップと、
−前記アプリケーション・プログラムの前記開始に応答して、前記サービス識別子を自動的に選択するステップと、
をさらに含む、方法。
【請求項４】
請求項１〜３のうちの１項又は複数項に記載の方法であって、
少なくとも１つのサービス識別子が複数のネットワーク事業者識別子に関連付けられ、該ネットワーク事業者識別子のうちの１つが好適なネットワーク事業者識別子であり、前記方法は、
−前記サービス識別子の選択に応答して、前記好適なネットワーク事業者識別子を選択するステップと、
−前記好適なネットワーク事業者識別子に関連付けられる前記ネットワーク識別子を選択するステップと、
を含む、方法。
【請求項５】
請求項１〜４のうちの１項又は複数項に記載の方法であって、少なくとも１つのサービス識別子が複数のネットワーク識別子に関連付けられ、前記方  法は、該複数のネットワーク識別子のうちの少なくとも２つについての前記サービス識別子の選択に応答して、単一のネットワーク事業者識別子を選択するステップを含む、方法。
【請求項６】
請求項５に記載の方法であって、前記ネットワーク識別子は、ビデオ・ブロードキャスティングネット・ワーク及び無線アクセス・ネットワークを識別する、方法。
【請求項７】
請求項１〜６のうちの１項又は複数項に記載の方法であって、
前記移動デバイスはディスプレイを備えており、前記方法は、さらに、
−前記サービス識別子の選択に応答して、少なくとも前記第１のネットワーク事業者及び前記第２のネットワーク事業者の指示を前記ディスプレイ上に表示するステップと、
−前記移動デバイスのユーザによって為されるネットワーク事業者選択に応答して選択信号を受信することによって、前記第１のネットワーク事業者又は前記ネットワーク事業者のいずれかを選択するステップと、
を含む、方法。
【請求項８】
請求項１〜７のうちの１項又は複数項に記載の方法であって、前記電子データ構造は前記移動デバイスの加入者識別モジュール上に格納される、方法。
【請求項９】
請求項１〜８のうちの１項又は複数項に記載の方法であって、前記電子データ構造を、電子サービス・ガイドのためのブロードキャスト・チャネル上で受ける、方法。
【請求項１０】
請求項１〜８のうちの１項又は複数項に記載の方法であって、前記電子データ構造を、ユニキャストデバイス管理チャネル上で受ける、方法。
【請求項１１】
プロセッサによって実行されると、請求項１〜１０のうちの１項又は複数項に記載の方法を実施するように構成されるソフトウェア・コード部分を備える、コンピュータ・プログラム。
【請求項１２】
請求項１１に記載のコンピュータ・プログラムを収容する、電子キャリア。
【請求項１３】
複数のサービスを消費するように構成される移動デバイスのための電子データ構造であって、ネットワーク事業者を選択するように構成されており、
−前記サービスのうちの１つ又は複数をサポートするネットワークにおける、第１のネットワーク事業者についての第１のネットワーク事業者識別子、及び第２のネットワーク事業者についての第２のネットワーク事業者識別子を少なくとも収容する、ネットワーク事業者識別子リストと、
−１つ又は複数のネットワーク識別子を収容するネットワーク識別子リストであって、各識別子が、前記サービスのうちの１つ又は複数を前記移動デバイスに提供するネットワークを一意に識別する、ネットワーク識別子リストと、
複数のサービス識別子を含むサービス識別子リストであって、各サービス識別子が、１つ又は複数のネットワーク事業者識別子、及び任意で、１つ又は複数のネットワーク識別子に関連付けられる前記複数のサービスのうちの１つのサービスを一意に識別する、サービス識別子リストと、
を備える、電子データ構造。
【請求項１４】
請求項１３に記載の電子データ構造であって、前記第１のネットワーク事業者識別子及び前記第２のネットワーク事業者識別子はローミング・ネットワーク事業者識別子である、電子データ構造。
【請求項１５】
請求項１３又は１４に記載の電子データ構造であって、少なくとも１つのサービス識別子が複数のネットワーク事業者識別子に関連付けられ、該ネットワーク事業者識別子のうちの１つが好適なネットワーク事業者識別子として示される、電子データ構造。
【請求項１６】
請求項１３〜１５のうちの１項又は複数項に記載の電子データ構造であって、少なくとも１つのサービス識別子は複数のネットワーク識別子に関連付けられ、該ネットワーク識別子のそれぞれは同一のネットワーク事業者識別子に関連付けられる、電子データ構造。
【請求項１７】
請求項１６に記載の電子データ構造であって、前記ネットワーク識別子は、ビデオ・ブロードキャスティング・ネットワーク及び無線アクセス・ネットワークを識別する、電子データ構造。
【請求項１８】
請求項１３〜１７のうちの１項又は複数項に記載の前記電子データ構造を備える、加入者識別モジュール（ＳＩＭ）のような電子媒体。
【請求項１９】
請求項１８に記載の電子媒体を備える移動デバイス。
【請求項２０】
複数のサービスを消費するように構成される移動デバイスのためのアプリケーション・プログラムであって、前記移動デバイスはネットワーク事業者を選択するための電子データ構造を備え、該電子データ構造は、
−前記サービスのうちの１つ又は複数をサポートするネットワークにおける、第１のネットワーク事業者についての第１のネットワーク事業者識別子、及び第２のネットワーク事業者についての第２のネットワーク事業者識別子を少なくとも収容する、ネットワーク事業者識別子リストと、
−１つ又は複数のネットワーク識別子を収容するネットワーク識別子リストであって、各識別子が、前記サービスのうちの１つ又は複数を前記移動デバイスに提供するネットワークを一意に識別する、ネットワーク識別子リストと、
−複数のサービス識別子を含むサービス識別子リストであって、各サービス識別子が、１つ又は複数のネットワーク事業者識別子、及び任意で、１つ又は複数のネットワーク識別子に関連付けられる前記複数のサービスのうちの１つのサービスを一意に識別する、サービス識別子リストと、
を含み、
該アプリケーション・プログラムは、該アプリケーション・プログラムの開始に応答して前記サービス識別子を呼び出すためのソフトウェア・コード部分を含む、アプリケーション・プログラム。
【発明の詳細な説明】
【技術分野】
【０００１】
本発明は、１つ又は複数のネットワークに接続するように構成される移動電子デバイスによる無線通信の技術分野に関するものである。より詳細には、本発明は、上記ネットワークのうちの１つ又は複数のネットワークのネットワーク事業者の選択の技術分野に関するものである。
【背景技術】
【０００２】
ローミングは、接続が登録されているホーム・ネットワークとは異なる場所への接続サービスの拡張を指す、無線通信における一般的な用語である。ローミングは、当業者には既知であるような方法で場所の登録手順及び場所の更新手順によって実施される。
【０００３】
今日、ホーム・ネットワークに登録している加入者は、ホーム・ネットワークのネットワーク事業者が音声電話の相互接続のローミング契約を交わしているネットワークにローミングすることができる。事業者は、可能な限り多くの他のネットワーク事業者とローミング契約を交わす傾向にある。通常、これらのネットワーク事業者のネットワークのうちの１つが好適なネットワークである。
【０００４】
３ＧＰＰ標準規格ＴＳ  ３１．１０２は、ＧＳＭ／３Ｇネットワークにおける移動デバイスのローミング挙動を制御する機構を規定している。この標準規格は、ローミング挙動の制御が移動デバイス又は（Ｕ）ＳＩＭ上の基礎ファイル（ＥＦ ; Elementary File）によって制御される広範囲に及ぶものであることを記述している。これらのファイルのうちの１つが、加入者に定義されたＰＬＭＮ（公衆陸上移動通信網）リストであり、もう１つが事業者に定義されたＰＬＭＮリストである。
【０００５】
特定のローミング・ネットワークに対する好みは通常、経済的な考慮事項に基づく。一例として、事業者定義のＰＬＭＮリストにおけるデフォルト設定が、ローミングが、ホーム・ネットワークの事業者が財政的に有益な契約を交わしている事業者のネットワークに対するべきものであるか、又は当該デフォルト設定がホーム・ネットワークの事業者と同じグループの事業者のネットワークに対するべきものであるという場合がある。
【０００６】
無線ネットワークによって従来から提供されている基本サービスは電話である。したがってローミングの考慮事項は音声電話の相互接続に焦点が当たる。標準化によって、移動デバイスは、各ネットワークで電話サービスを受けるために異なるネットワーク事業者のネットワークに接続することが可能になることを確実にする。移動デバイスは事業者を選択して、事業者はネットワーク、すなわち使用されるアクセス技術を決定する。
【０００７】
近年、この状況は、移動デバイスが消費することができるさまざまな新規のサービスが出現した結果、より複雑になってきている。現行の移動デバイスはたとえば、音声電話、ビデオ電話、ＳＭＳを介するメッセージ又は電子メールの送信、インターネット・ブラウジング及びビデオ・ストリーミングが可能である。
【０００８】
このような複雑化した環境におけるネットワーク事業者のより高度な選択に対する需要が、当該技術分野において存在する。
【発明の開示】
【発明が解決しようとする課題】
【０００９】
本発明の目的は、ネットワーク事業者を選択するための、改善された方法及び電子データ構造を提供することである。
【課題を解決するための手段】
【００１０】
この目的のために、複数のサービスを消費するように構成される移動デバイスにおける、ネットワーク事業者を選択する、コンピュータによって実施される方法を提案する。移動デバイスは、少なくともネットワーク事業者識別子リスト及びサービス識別子リストを含む電子データ構造を有するキャリアを備える。ネットワーク事業者識別子リストは少なくとも、上記サービスのうちの１つ又は複数をサポートするネットワークの、第１のネットワーク事業者に対する第１のネットワーク事業者識別子、及び第２のネットワーク事業者に対する第２のネットワーク事業者識別子を含む。サービス識別子リストは、それぞれが複数のサービスのうちの１つのサービスを一意に識別する複数のサービス識別子を含む。電子データ構造は、各サービス識別子が１つ又は複数のネットワーク事業者識別子に関連付けられるように構成される。電子データ構造は、それぞれが上記サービスのうちの１つ又は複数を上記移動デバイスに提供するネットワークを一意に識別する１つ又は複数のネットワーク識別子を含む、ネットワーク識別子リストも含むことができる。本方法において、電子データ構造のサービス識別子リストからサービス識別子（又は、当該サービス識別子を通じて選択することができるパラメータ若しくは識別子）を選択した後に、又は選択するまでに、第１のネットワーク事業者識別子又は第２のネットワーク事業者識別子のいずれかを選択することを含む。
【００１１】
さらに、複数のサービスを消費するように構成される移動デバイスのための電子データ構造を提案する。データ構造はネットワーク事業者を選択するように構成され、ネットワーク事業者識別子リスト、ネットワーク識別子リスト、及びサービス識別子リストを含む。ネットワーク事業者識別子リストは少なくとも、上記サービスのうちの１つ又は複数をサポートするネットワークの、第１のネットワーク事業者に対する第１のネットワーク事業者識別子、及び第２のネットワーク事業者に対する第２のネットワーク事業者識別子を含む。ネットワーク識別子リストは、それぞれが上記サービスのうちの１つ又は複数を上記移動デバイスに提供するネットワークを一意に識別する１つ又は複数のネットワーク識別子を含む。サービス識別子リストは複数のサービス識別子を含み、各サービス識別子がサービスを一意に識別する。電子データ構造は、サービス識別子のそれぞれが、１つ又は複数のネットワーク事業者識別子、及び任意で１つ又は複数のネットワーク識別子に関連付けられるように構成される。
【００１２】
コンピュータ・プログラム、そのようなプログラム及びそのような電子データ構造のための電子キャリア、並びに、移動デバイスであって、そのような移動デバイスのためのそのようなキャリア及びアプリケーション・プログラムを含む、移動デバイスも提案する。
【００１３】
この提案の要点は、ネットワーク事業者の選択が、もはやネットワーク、すなわちサービスへのアクセス技術には基づくものではなく、選択されるサービス自体に基づくということである。換言すれば、もはやデータ接続ネットワーク・レベルではなく、アプリケーション・サービス・レベルで選択を行うことを提案する。ネットワーク事業者は選択されるサービスに基づいて選択され、その後、適切なネットワークが選択される。しかしながら、選択されたサービスに基づいてネットワークを選択すること、及び、それに続いてネットワーク事業者を選択することも可能である。電気通信サービスは、電気通信システムによって一群のユーザに提供される、指定されたセットの（ユーザ）情報転送能力として規定することができる。（訪れている）ネットワークにおいて提供されるサービスに基づいて、ユーザはネットワーク事業者を選択することができる。
【００１４】
さらに、サービスを選択するために、移動デバイスにおいて電子サービス・ガイド（ＥＳＧ）がますます使用されるようになっていることが観察されている。これらのサービスは、さまざまなネットワークを介して提供され得る。選択されるネットワーク事業者を、ＥＳＧにおいて選択されるサービスに基づいて選択することを提案する。
【００１５】
上記で規定された方法及び電子データ構造は、（たとえば、いくつかのネットワークを用いることが許可されているサービス・プロバイダの）移動デバイスのホーム・ネットワーク内で適用することができるが、請求項２及び請求項１４の記載により、ホーム・ネットワークが利用可能でないローミング場所において本方法及び電子データ構造を適用するのに有利である。
【００１６】
請求項３に係る発明の実施形態は、サービスの選択を容易に検出することができ、その結果、サービスを消費するためのネットワーク事業者の選択が簡単な方法で開始されるという利点を有する。さまざまなアプリケーション・パラメータを用いてサービスの選択を検出することができる。適切な一例は、デバイス管理のためのオープン・モバイル・ネーミング・オーソリティ（ＯＭＮＡ）によって提供されるアプリケーション特性レジストリによって提供される。ＯＭＮＡ  ＰＵＳＨアプリケーションＩＤを使用することもできる。他の例は、３ＧＰＰ  ＴＳ  ３１．１０２  Ｖ  ７．８．０（２００７−３）の４．２．８節のサービス番号を含む。
【００１７】
請求項４及び請求項１５に係る発明の実施形態は、選択されるサービス識別子に応じて好適なネットワーク、すなわちアクセス技術又は好適なネットワーク事業者をプログラムするという利点を供する。一例として、移動デバイスは、サービスをブラウジングするために事業者１を利用し、音声呼び出しのために事業者２を利用するようにプログラムすることができる。
【００１８】
単一のサービスが、ブロードキャスト・ネットワーク（ＤＶＢ−Ｈ、ＭｅｄｉａＦｌｏｗ、ＤＭＢ）、及びセルラ無線ネットワーク（ＵＭＴＳ、ＧＳＭ）のような異なる複数のネットワークを必要とする場合がある。一例として、モバイルＴＶサービスでは、コンテンツはＤＶＢ−Ｈブロードキャスト・ネットワークを介して提供され、双方向性の態様がＵＭＴＳのようなセルラネットワークを介して調整され得る。サービスの認可の態様が第３のネットワーク、たとえばＧＳＭを介して制御されることがある。本発明の一実施の形態では、モバイルＴＶサービスのローミング・パートナは、セルラネットワークを介する他のモバイルサービスのローミング・パートナとは別のものとすることができる。
【００１９】
請求項５、請求項６、請求項１６、及び請求項１７に係る発明の実施形態では、サービスの複数の態様が、単一のサービスのすべての態様のための１つのネットワーク事業者を用いて維持される。
【００２０】
請求項７に係る発明の実施形態は、ユーザが、１つ又は複数のサービスのための好適なネットワーク事業者を手動で選択することを可能にする。
請求項８〜請求項１０に係る発明の実施形態は、送信機からの電子データ構造を有する移動デバイスを提供するためのさまざまな好都合な方法を提供する。電子データ構造は、移動デバイスによってプッシュするか又は取り出すことができる。
【００２１】
本発明の実施形態を、以降にさらに詳細に説明する。しかしながら、これらの実施形態は本発明の保護範囲を限定するものとしては解釈され得ないことを理解されたい。
【図面の簡単な説明】
【００２２】
【図１】図１は、ローミング場所における移動デバイスの概略図である。
【図２】図２は、図１の移動デバイスの概略図である。
【図３Ａ】図３Ａは、従来技術による電子データ構造の概略図である。
【図３Ｂ】図３Ｂは、本発明の一実施形態による電子データ構造の概略図である。
【図４】図４は、図１のローミング場所において実施される方法の一実施形態を示すフローチャートである。
【図５】図５は、本発明の一実施形態による、アナウンス・チャネル、及び電子データ構造を含む電子サービス・ガイドを配布する配信チャネルの概略図である。
【図６】図６は、ＯＭＡデバイス管理オブジェクト構造の一例を示す図である。
【発明を実施するための最良の形態】
【００２３】
図１は、（移動デバイスのホーム・ネットワークからのサービスを消費することができる）第１の場所Ａから、ローミング場所である（ホーム・ネットワークがもはやサービスを提供することができない）第２の場所Ｂに移動してきた移動デバイス１を示す。移動デバイス１はたとえば、無線電話、個人情報端末（ＰＤＡ）、又はポータブル・コンピュータを含むことができる。
【００２４】
ローミング場所において、移動デバイス１にサービスを提供する少なくとも２つのネットワーク事業者Ｉ及びＩＩが存在している。実際には３つ以上のネットワーク事業者が存在し得ることを理解されたい。ネットワーク事業者Ｉ、ＩＩは、無線ネットワーク２、３を使用して、場合によってはネットワーク５を介して接続されている１つ又は複数のサーバ４を使用して、移動デバイス１にサービスを提供する。ネットワークインフラストラクチャは、図１に非常に簡便に図示している。移動デバイス１にサービスを提供するのに必要とされるインフラストラクチャは、本発明には関連せず、このようなインフラストラクチャのさまざまな可能性が当業者には明らかであろう。
【００２５】
図２は、無線電話のような移動デバイス１の概略図を提供する。移動デバイス１は、電話、電子メッセージング・サービス、インターネット・ブラウジング、ストリーミング及びモバイル・テレビジョンを含む複数のサービスを消費するように構成される。
【００２６】
移動デバイス１は、マイクロ・プロセッサ１０と、ネットワーク・インタフェース１１と、メモリ１２と、ディスプレイ１３とを備える。マイクロ・プロセッサ１０は、デバイス１の動作全体を制御する。ネットワーク２、３との通信はネットワーク・インタフェース１１を通じて実施される。メモリ１２は、フラッシュ・メモリ及び読出し専用メモリを含む１つ又は複数のメモリタイプを示し、（汎用）加入者識別モジュール（（Ｕ）ＳＩＭ）を備えることができる。メモリ１２は、（アプリケーション）プログラムを収容すると共に、本発明の一実施形態による１つ又は複数の電子データ構造１４及び他のデータを格納することができる。ディスプレイ１３は、ＬＣＤディスプレイとすることができる。
【００２７】
図３Ａは、従来技術による好適なローミング・リストを含む電子データ構造の概略的な例を示し、図３Ｂは、本発明の一実施形態による好適なローミング・リストを含む電子データ構造の概略的な例を示す。明確のために、列は、アクセス・ネットワーク及びネットワーク事業者の特定の名称を識別子として直接区別する。しかしながら、実際には他の識別子を用いることができる。一例として、ネットワーク事業者（ＰＬＭＮ）をたとえば、たとえば３ＧＰＰ  ＴＳ  ２４．００８でコード化されている移動国家コード（ＭＣＣ）と、それに続く移動ネットワーク・コード（ＭＮＣ）との組合せを用いて識別することができる。ネットワークは、３ＧＰＰ  ＴＳ  ３１．１０２において提供されるようなアクセス技術の識別子を用いて識別することができる。
【００２８】
図３Ａは、ネットワーク事業者識別子を有する第１のリストと、ネットワーク識別子（「アクセス・ネットワーク」で示される）を有する第２のリストとを有する現行の電子データ構造の一部を示す。電子データ構造は、事業者定義又はユーザ定義のいずれかの、ＵＳＩＭ上の基礎ファイル（ＥＦ）とすることができる。ＥＦは、さらなるアクセス・ネットワーク、たとえばＭｅｄｉａＦｌｏｗ、Ｔ−ＤＭＢ、ＷｉＦｉ、ＷｉＭＡＸ等を含むことができる。上述のように、３つ以上のネットワーク事業者をネットワーク事業者リストにリストすることができる。
【００２９】
移動デバイス１は、領域Ａから領域Ｂ（ローミング場所）に移動すると、ＥＦを用いてネットワーク事業者を選択する。事業者Ｉは好適なローミング・パートナとしてプログラムされており、ユーザが移動デバイス１上で自身のブラウザを開く場合、この事前にプログラムされた事業者Ｉが選択されて、ブラウジングのためのＵＭＴＳ接続を提供する。移動デバイス１のユーザが電話をかけることを望む場合、事業者ＩのＵＭＴＳネットワークが再び使用されて、電話接続が確立される。移動デバイスのユーザがローミング領域Ｂにおいて自身の移動デバイス１でモバイル・テレビジョン・アプリケーションを開始する場合、そのコンテンツは事業者ＩＩのＤＶＢ−Ｈネットワークを介して受信される。しかしながら、双方向性のためには、ＵＭＴＳネットワークを同様に使用することになる。これは、ＵＭＴＳを介する対話型セッションのための好適なネットワーク事業者が事業者Ｉであるため、問題となることがある。
【００３０】
図３Ｂは、本発明の一実施形態による電子データ構造１４の一部を提供する。電子データ構造１４は、移動デバイス１のＵＳＩＭ上又は別のメモリモジュール上のＥＦとして収容される場合があり、事業者が事前に準備することができる。電子データ構造１４を移動デバイス１に提供する他の方法は、図５に概略的に示すような電子サービス・ガイド（ＥＳＧ）を有する電子データ構造をブロードキャストすること、及び、図６に概略的に示すようなＯＭＡデバイス管理技法を用いることを含む。移動デバイス１のユーザが、自身で電子データ構造１４を構成することもできる。
【００３１】
電子データ構造１４は、従来技術と比較してさらなるリスト、すなわち、サービス識別子のリストを提供する。各サービス識別子は、特定のサービスを一意に定義する。電子データ構造１４は、サービス識別子のそれぞれが、１つ又は複数のネットワーク事業者識別子及び１つ又は複数のネットワーク識別子に関連付けられるように構成される。ＵＴＲＡＮがＵＭＴＳシステムのアクセス・ネットワークである。
【００３２】
たとえばローミング場所で、図３Ｂの電子データ構造１４を用いてネットワーク事業者を選択する方法を、ここで図４を参照して説明する。
移動デバイス１のユーザは、たとえば電話サービスのための電話アプリケーション、モバイル・テレビジョン・サービスを受けるためのモバイル・テレビジョン・アプリケーション、ウェブ・ブラウジング。サービスを消費するためのブラウザ、及び、電子メッセージング・サービスのための電子メールプログラムといった利用したいサービスに応じてアプリケーションを開始することができる。それぞれのサービスを利用するためのアプリケーションは、移動デバイス１のマイクロ・プロセッサ１０上で起動されている。
【００３３】
アプリケーションには、サービス・イネーブラとも称されるアプリケーション・コードが提供される。アプリケーション特性（ＡＣ）用のＯＭＡのサービス・イネーブラの一例を、以下の表に提供する。
【００３４】
【表１】
2009165111.tif 000003
【００３５】
コードの他の例又は規定が想定されていることは理解されたい。これらの例は、ＯＭＮＡプッシュ・アプリケーションＩＤ、及び、３ＧＰＰ  ＴＳ  ３１．１０２  Ｖ  ７．８．０（２００７−３）の４．２．８節のサービス番号を含む。図３Ｂでは、サービス識別子はアプリケーションを示すように規定されている。サービス識別子は、アプリケーション・コード又はサービス・イネーブラ自体とすることができる。
【００３６】
アプリケーションが開始される（図４のステップ４０）と、サービス識別子「service_id」が要求される（図４のステップ４１）。service_id=1はブラウジング・サービスに関連し、service_id=2はモバイル・テレビジョン放送サービスに関連し、service_id=3は音声サービスに関連する。移動デバイス１上に存在するアプリケーションに応じて、さらなるサービス識別子を定義及び用いることができる。
【００３７】
一例として、移動デバイス１のユーザがブラウジング・アプリケーションを選択する場合、アプリケーションによってservice_id=1が要求されることになる。電子データ構造１４から、関連付けられる好適なネットワーク事業者が、事業者Ｉである（したがって、事業者Ｉが選択されるネットワーク事業者である（ステップ４２））ことが明らかである。これは、この事業者がこのサービス識別子を要求しているアプリケーションに対して最初に挙げられているためである。使用されるアクセス技術はＵＭＴＳ又はＧＳＭであることになる。ブラウジング・サービスのための第２の好適なネットワーク事業者は、ＵＴＲＡＮを介してブラウジング・サービスを提供する事業者ＩＩである。
【００３８】
ユーザがモバイルＴＶアプリケーションを選択する場合、移動デバイス１においてservice_id=2が要求されることになる。モバイルＴＶアプリケーションは、３つの異なるネットワーク、すなわち、コンテンツを取得するためのＤＶＢ−Ｈ、双方向性のためのＵＭＴＳ、及び、コンテンツの認可を取得するためのＧＳＭを要求する場合がある。コンテンツはＤＶＢ−Ｈネットワークを介して転送される。ブラウジング・サービスとは対照的に、双方向性データ及び認可情報は、ここでは同様に事業者ＩＩのＵＭＴＳネットワーク又はＧＳＭネットワークを介して転送される。したがって、必要とされるアクセス技術とは無関係に、事業者ＩＩがモバイルＴＶアプリケーションのために選択される。その結果、すべてのセルラ・サービスのために選択されたＵＭＴＳネットワークと同一の事業者からＤＶＢ−Ｈネットワークを使用するという従来技術の問題が解決される。
【００３９】
ユーザが電話アプリケーションを選択する場合、移動デバイス１上のアプリケーションによってservice_id=3が要求されることになる。電子データ構造１４は、事業者Ｉを利用すること、及びＧＳＭアクセス・ネットワークを利用することを指示する。
【００４０】
図５及び図６は、ネットワークから電子データ構造１４を提供する２つの例を概略的に示す。
図５において、電子データ構造１４が、電子サービス・ガイド（ＥＳＧ）を配布するブロードキャスト信号において無線で送信される。サービス・ディスカバリ・チャネルとも称されることがあるアナウンス・チャネルでは、図３Ｂの電子データ構造のアドレスがアナウンスされるか、又は、電子データ構造はアナウンス・チャネル内に含まれる。移動デバイス１は、アナウンス・チャネルからデータ構造を取り出すか又は電子データ構造が格納されているアドレスを取得して、配信チャネルに同調し、電子データ構造１４を有するコンテナを取り出す。電子データ構造１４は続いて、移動デバイス１のメモリ１２内に格納される。
【００４１】
図６において、ＯＭＡデバイス管理（ＤＭ）を用いて電子データ構造１４を移動デバイス１に提供する一例を示す。ＯＭＡデバイス管理オブジェクトは、関連付けられる複数のリーフ・ノードを有する、<x>/ServiceRoamingが示すServiceRoaming内部ノードを含む。サービスはServiceRoaming/Serviceリーフ・ノードにおいて宣言される。このサービスのための好適なネットワーク事業者は、ServiceRoaming/Service/NetworkOperatorリーフ・ノード及びServiceRoaming/Service/NetworkOperator/Priorityリーフ・ノードにおいて宣言される。関連付けられるネットワーク事業者のネットワークは、ServiceRoaming/Service/NetworkOperator/Networkリーフ・ノードにおいて宣言される。
【００４２】
上述のように、移動デバイス１のディスプレイ１３を用いて、ユーザ自身が電子データ構造１４を定義することもできる。一例として、ユーザが自身の移動デバイス１上のアプリケーションを開始する場合、そのアプリケーションによって消費されるサービスのためのネットワーク事業者を選択するための選択肢を表示するディスプレイ１３上にリストを提示することができる。プロセッサ１０は、ネットワーク事業者を選択するための選択信号を受信し、続いてこの事業者のネットワークに接続する。
【００４３】
上記で規定した方法及び電子データ構造は、ネットワーク内（及びこれによりローミング状態だけではない）で、たとえばネットワークを所有していないがいくつかのネットワークを利用することを許可されているサービス・プロバイダの移動デバイスについても適用することができる。
【図１】
2009165111.tif 000004
【図２】
2009165111.tif 000005
【図３Ａ】
2009165111.tif 000006
【図３Ｂ】
2009165111.tif 000007
【図４】
2009165111.tif 000008
【図５】
2009165111.tif 000009
【図６】
2009165111.tif 000010
【外国語明細書】
2009165111000001.pdf